(57)【要約】【課題】洗浄時に上部蓋を外す作業が不必要な鶏コンテナー、及び、迅速かつ効率的に鶏コンテナーの消毒を行う鶏コンテナー消毒装置を提供する。【解決手段】鶏コンテナー２０は、複数の通気孔が設けられたプラスチック製の本体と、中央部に鶏を出し入れするための開閉扉を有し、プラスチック本体との隙間が所定範囲内の間隔で取り付けられた鉄製の格子状の上部蓋とを備える。鶏コンテナー消毒装置１は、消毒液を供給する消毒液供給装置１０と、複数の鶏コンテナー２０を移動させるコンベアー３と、コンベアー５の上下左右を数ｍにわたって囲うように設置された門形状のゲート本体２と、消毒液を通し、ゲート本体２に取り付けられた配管と、配管に接続され、消毒液をコンベアー３の上に乗せられて順次送られてくる鶏コンテナー２０に噴射するための複数の噴射ノズル４ａ〜４ｄとを備える。【選択図】図１
2007089531.tif 000002
【特許請求の範囲】
【請求項１】
消毒液を供給する消毒液供給手段と、
消毒対象の鶏コンテナーを運ぶ移動手段と、
前記移動手段を囲う枠組と、
前記消毒液供給手段から供給される前記消毒液を通し、前記枠組に取り付けられた配管と、
前記配管に接続され、前記消毒液を前記枠組の内側に噴射するための複数の噴射ノズルとを備えることを特徴とする鶏コンテナー消毒装置。
【請求項２】
消毒液を供給する消毒液供給手段と、
消毒対象の鶏コンテナーを囲う枠組と、
前記枠組を移動させる移動手段と、
前記消毒液供給手段から供給される前記消毒液を通し、前記枠組に取り付けられた配管と、
前記配管に接続され、前記消毒液を前記枠組の内側に噴射するための複数の噴射ノズルとを備えることを特徴とする鶏コンテナー消毒装置。
【請求項３】
複数の通気孔が設けられた本体と、
扉を有し、前記本体との隙間が所定範囲内の間隔で取り付けられた格子状の上部蓋と
を備えることを特徴とする鶏コンテナー。
【発明の詳細な説明】
【技術分野】
【０００１】
本発明は、ブロイラー、成鶏の鶏専用の移動用コンテナー及びその消毒装置に関する。
【背景技術】
【０００２】
養鶏場においては、ブロイラー、成鶏（淘汰鶏等）を移動するために鶏専用コンテナーが用いられる。鶏専用コンテナーには、通気性や運搬性が良いこと、強固で軽量であること等が求められる（例えば、特許文献１参照。）。
【０００３】
また、各養鶏場から鶏コンテナーを各地に運搬するために車両が用いられるが、農場に出入りする車両には農場などで発生した各種の雑菌やウイルスが付着していることが多く、車両を消毒しない場合には農場で発生した雑菌等を農場外に出したり、他の農場で発生した雑菌等を農場に持ち込んだりすることになり、それにより多くの農場等に雑菌等が蔓延してしまう。また、雑菌等を付着させて道路上を移動することは、社会の公衆衛生にも影響する。特に、養鶏場においては、鳥インフルエンザ等の伝染病の蔓延を防止することが極めて重要である。
【特許文献１】特開平６−２４５６６４号公報（図４）
【発明の開示】
【発明が解決しようとする課題】
【０００４】
しかし、従来の鶏コンテナーはプラスチック製の本体にプラスチック製の上部蓋を嵌め込んで使用する形態をとっている場合が多い。この場合には使用時に上部蓋が外れてしまう問題がある。一方、本体に上部蓋を固定して使用する形態をとる場合には、使用時に上部蓋が外れてしまうことはないが、洗浄時に上部蓋を外す作業が生じたり、洗浄のための時間が多くかかり不便であるという問題がある。また、上部蓋がプラスチック製では強度的に問題があり、耐用年数も短い。
【０００５】
また、鶏コンテナーの消毒に関しては人手に頼ることが多く、迅速かつ効率的に鶏コンテナーの消毒を行う装置が強く要望されている。
【０００６】
そこで、本発明は、洗浄時に上部蓋を外す作業が不必要な鶏コンテナー、及び、迅速かつ効率的に鶏コンテナーの消毒を行う鶏コンテナー消毒装置を提供することを目的とする。
【課題を解決するための手段】
【０００７】
上記の目的を達成するため、本発明に係る鶏コンテナー消毒装置は、消毒液を供給する消毒液供給手段と、消毒対象の鶏コンテナーを運ぶ移動手段と、前記移動手段を囲う枠組と、前記消毒液供給手段から供給される前記消毒液を通し、前記枠組に取り付けられた配管と、前記配管に接続され、前記消毒液を前記枠組の内側に噴射するための複数の噴射ノズルとを備えることを特徴とする。
【０００８】
また、消毒液を供給する消毒液供給手段と、消毒対象の鶏コンテナーを囲う枠組と、前記枠組を移動させる移動手段と、前記消毒液供給手段から供給される前記消毒液を通し、前記枠組に取り付けられた配管と、前記配管に接続され、前記消毒液を前記枠組の内側に噴射するための複数の噴射ノズルとを備えることを特徴とする。
【０００９】
また、本発明に係る鶏コンテナーは、複数の通気孔が設けられた本体と、扉を有し、前記本体との隙間が所定範囲内の間隔で取り付けられた格子状の上部蓋とを備えることを特徴とする。
【発明の効果】
【００１０】
本発明に係る鶏コンテナーの消毒装置によれば、迅速かつ効率的に鶏コンテナーの消毒を行うことができ、鳥インフルエンザ等の伝染病の蔓延を防止することができる。
【００１１】
また、本発明に係る鶏コンテナーによれば、使用時に上部蓋が外れてしまうことがなく、また、洗浄時に上部蓋を外す作業も必要でない。また、通気性や運搬性が良く強固で軽量である。
【発明を実施するための最良の形態】
【００１２】
以下では、本発明を実施するための最良の形態について図面を参照しながら説明を行う。
【実施例１】
【００１３】
図１は、本発明の実施例１に係る鶏コンテナー消毒装置の斜視図である。鶏コンテナー消毒装置１は、消毒液を供給する消毒液供給装置１０と、消毒液供給装置１０から供給される消毒液を通すホース９と、複数の鶏コンテナー２０を移動させるコンベアー３と、コンベアー３を駆動するためのモーター５と、コンベアー５の上下左右を数ｍにわたって囲うように設置された門形状のゲート本体（枠組）２と、消毒液を通し、ゲート本体２に取り付けられた配管（不図示）と、配管に接続され、消毒液をゲート本体２の内側のコンベアー３の上に乗せられて順次送られてくる鶏コンテナー２０に噴射するための複数の噴射ノズル４ａ〜４ｄとを備える。
【００１４】
噴射ノズル４ａ、４ｂはゲート本体２の支柱の両横から内側に、噴射ノズル４ｃは支柱の上から下方に、噴射ノズル４ｄは支柱の下から上方にそれぞれ消毒液を噴射して、鶏コンテナー２０を効率的に消毒漏れの箇所のないように設置されている。
【００１５】
次に、消毒作業について説明を行う。ユーザーは、消毒液供給装置１０とモーター５の駆動スイッチをオンにして、コンベアー３が動作し、消毒液が複数の噴射ノズル４ａ〜４ｄから噴射される状態にした後、コンベアー３の上に複数の鶏コンテナー２０を順次のせていくことによって、鶏コンテナー２０はゲート本体２内に供給され、自動的に消毒された後、コンベアー３によってゲート本体２の他方側に排出される。ユーザーがその消毒された鶏コンテナー２０を順次回収することで消毒作業が終了する。
【００１６】
ゲート本体２におけるコンベアー３と平行の方向の長さを長くする、又は、複数の噴射ノズル４ａ〜４ｄによる消毒液の供給を増加することにより、モーター５により高速運転を行っても、鶏コンテナー２０の消毒が十分に行われるので、短時間に鶏コンテナー２０の消毒作業を完了することが可能である。
【００１７】
このように、本発明に係る鶏コンテナー消毒装置によれば、迅速かつ効率的に鶏コンテナーの消毒を行うことができる。
【実施例２】
【００１８】
図２は、本発明の実施例２に係る鶏コンテナーの斜視図である。鶏コンテナー２０は、底面及び４つの側面に複数の通気孔が設けられたプラスチック製の本体２１と、中央部に鶏を出し入れするための適度なサイズの開閉扉２５を有し、プラスチック本体２１との隙間が所定範囲内の間隔で取り付けられた鉄製の格子状の上部蓋２２とを備える。
【００１９】
鶏コンテナー２０は、省力化設計がなされており、プラスチック本体２１の上部外周には金具等の突起物がなく、また、上部蓋２２は本体２１の最上部の高さよりも数ｃｍ低い位置に設置されているため、トラック等への積みおろし等の際に引っ掛かることがなくスムーズな作業が可能である。
【００２０】
さらに、上部蓋２２とプラスチック本体２１との隙間が広くなっているため、水洗時に中に残存している鶏の羽根等がその隙間から流出しやすくなり、鶏コンテナー２０の水洗時間が従来よりも短縮できる。
【００２１】
また、上部蓋２２が鉄製であるため強固で破損しにくく、四種メッキを使用しているのでさびにくい。また、プラスチック本体２１の両側の長側壁の外側に各２ヶ所の計４ヶ所で割りピン２３により取り付けられているため、上部蓋２２を脱着する場合にも作業が容易である。なお、約４．６kgと比較的軽量であるので取り扱いに便利である。
【００２２】
このように、本発明に係る鶏コンテナーは、使用時に上部蓋が外れてしまうことがなく、また、洗浄時に上部蓋を外す作業も必要でない。なお、上部蓋を外す必要があるときでも簡便に作業が行える。
【００２３】
以上、本発明に係る鶏コンテナー及びその消毒装置の実施例について説明を行ったが、本発明に係る鶏コンテナー及びその消毒装置は説明を行った実施例に限定はされない。例えば、本発明は、鶏以外の鳥類やその他の動物用のコンテナー及びその消毒装置として適用してもよい。また、鶏コンテナー消毒装置の形状は門形状でなくてもよく、円形状等であってももちろん良い。また、鶏コンテナーを運ぶ移動部はコンベアーでなくとも、リフト状のもの等であってもよい。
【００２４】
さらに、鶏コンテナー消毒装置において、実施例１で説明を行ったような鶏コンテナーを移動部により移動させる方式をとる代わりに、鶏コンテナーを固定させ、鶏コンテナーを囲うゲート（枠組）と、ゲートを鶏コンテナーの前後方向に移動させる移動部とを備えるように構成してもよく、この場合においても実施例１と同様の効果を奏する。
【産業上の利用可能性】
【００２５】
本発明は、養鶏場に設置される鶏コンテナー及びその消毒装置等に適用できる。
【図面の簡単な説明】
【００２６】
【図１】本発明の実施例１に係る鶏コンテナー消毒装置の斜視図である。
【図２】本発明の実施例２に係る鶏コンテナーの斜視図である。
【符号の説明】
【００２７】
１  鶏コンテナー消毒装置
２  ゲート本体
３  コンベアー
４ａ〜４ｄ  噴射ノズル
５  モーター
９  ホース
１０  消毒液供給装置
２０  鶏コンテナー
２１  プラスチック本体
２２  上部蓋
２３  割りピン
２５  扉
【図１】
2007089531.tif 000003
【図２】
2007089531.tif 000004